(57)【要約】  本発明は、微生物起源の生物学的材料をサンプリングするための、手作業の又は自動化されたデバイスの本体にフィットすることができるエンドフィッティングにおいて、ａ）微生物起源の生物学的材料をサンプリングするための手段を含む遠方端部と、ｂ）前記サンプリングデバイスの本体と接触すること、及び前記エンドフィッティングの前記本体への取り付けを可能にすることが意図される近位の自由端部とを含み、自由遠方端部の全て又は一部が少なくとも３０％に等しい空孔率を有する繊維状の材料からなることを特徴とする、エンドフィッティングに関する。【選択図】図２Ａ
2019521336.tif 000002
【特許請求の範囲】
【請求項１】
微生物起源の生物学的材料をサンプリングするための、手作業の又は自動化されたデバイスの本体にフィットされることを可能とするエンドフィッティングにおいて、
ａ）微生物起源の生物学的材料をサンプリングするための手段を含む遠方端部と、
ｂ）前記サンプリングデバイスの本体と接触すること、及び前記エンドフィッティングの前記本体への取り付けを可能にすることが意図される近位の自由端部と
を含み、自由遠方端部の全て又は一部が少なくとも３０％に等しい空孔率を有する繊維状の材料からなることを特徴とする、エンドフィッティング。
【請求項２】
少なくとも３０％に等しい空孔率を有する繊維状の材料から完全になる、請求項１に記載のエンドフィッティング。
【請求項３】
繊維状の材料が、５０％を超える、好ましくは７０％を超える空孔率を有する、請求項１又は２に記載のエンドフィッティング。
【請求項４】
繊維状の材料が、ポリエステル、ポリエチレン、ポリエチレンテレフタレート（ＰＥＴ）、ＰＥＴとポリエチレンのコポリマー、ＰＥＴ／ＰＥＴポリアミドコポリマー、綿を含む群から選択される、請求項１から３の何れか一項に記載のエンドフィッティング。
【請求項５】
実質的に円錐形の又は円錐台形の全体的形状を有する、請求項１から４の何れか一項に記載のエンドフィッティング。
【請求項６】
サンプリング手段が、円筒形の、円錐台形の又は球形の全体的形状のものである、請求項１から５の何れか一項に記載のエンドフィッティング。
【請求項７】
微生物起源の生物学的材料をサンプリングするためのデバイスであって、
・請求項１から６の何れか一項に記載のエンドフィッティング、及び
・前記デバイスを把持するためのゾーンとして、少なくとも部分的に役立つ近位の部分と、前記エンドフィッティングがその端部に取り付けられている自由端部を有する遠位の部分とを少なくとも含む本体
を含む
デバイス。
【請求項８】
エンドフィッティングを排出するシステムをさらに含む、請求項７に記載のデバイス。
【請求項９】
排出システムが、前記本体の内側に位置しかつ平行で移動し得るロッドを含む、請求項８に記載のデバイス。
【請求項１０】
前記ロッドが、プッシュボタンにより平行で移動し得る、請求項９に記載のデバイス。
【請求項１１】
微生物起源の生物学的材料をサンプリングするための方法であって、
ａ）請求項１から６に記載のエンドフィッティングを、請求項７又は８の何れか一項に記載のサンプリングデバイスの遠位の部分に位置させる工程と、
ｂ）前記エンドフィッティングのサンプリング手段を生物学的材料と接触させるために、培養培地上に存在する微生物起源の生物学的材料のコロニーの近傍に、サンプリングデバイスを位置させる工程と、
ｃ）サンプリングデバイスを利用して、採取された生物学的材料がサンプリング手段に付着するように、生物学的材料の全て又は一部をサンプリングする工程と
を含む方法。
【請求項１２】
生物学的材料の試料からのＭＡＬＤＩ−ＴＯＦタイプの質量分析法による微生物の分析のための、分析プレートを調製するための方法であって、
ａ）請求項１から５に記載のエンドフィッティングを、請求項６又は７の何れか一項に記載のサンプリングデバイスの遠位の部分に位置させる工程と、
ｂ）前記エンドフィッティングのサンプリング手段を生物学的材料と接触させるために、培養培地上に存在する微生物起源の生物学的材料のコロニーの近傍に、サンプリングデバイスを位置させる工程と、
ｃ）サンプリングデバイスを利用して、採取された生物学的材料がサンプリング手段に付着するように、生物学的材料の全て又は一部をサンプリングする工程と、
ｄ）サンプリング手段を少なくとも１つの分析ゾーンの表面と接触させることにより、採取された生物学的材料を、ＭＡＬＤＩ−ＴＯＦタイプの質量分析法の分析プレートの前記少なくとも１つの分析ゾーンに均一に堆積させる工程と
を含む方法。
【請求項１３】
ゲロース培養培地上の微生物起源の生物学的材料を単離するための方法であって、
ａ）請求項６又は７に記載のサンプリングデバイスのエンドフィッティングのサンプリング手段と接触した生物学的材料の試料を得る工程と、
ｂ）サンプリング手段がゲロース培養培地の表面と接触するように、サンプリングデバイスを前記表面の近傍に位置させる工程と、
ｃ）サンプリング手段が培養培地と接触したままで培地の表面全体を移動するように、サンプリングデバイスを移動させて、それにより、前記サンプリング手段と接触する生物学的材料の試料の全て又は一部を、培養培地の前記表面上に放出する工程と
を含む方法。
【請求項１４】
サンプリングエンドフィッティングを排出する最終工程をさらに含む、請求項１１、１２又は１３に記載の調製方法。
【発明の詳細な説明】
【技術分野】
【０００１】
本発明の技術分野は、分析するために、ゲロース培養培地における微生物のコロニーをサンプリングすることが意図されるデバイスの技術である。本発明は、さらに具体的には、その遠位の部分に、ポリマー材料のサンプリングチップ（ｓａｍｐｌｉｎｇ  ｔｉｐ）を有するサンプリングエンドフィッティング（ｓａｍｐｌｉｎｇ  ｅｎｄ  ｆｉｔｔｉｎｇ）に関する。本発明は、この種のエンドフィッティングを含むサンプリングデバイス及びそれを使用するサンプリング方法にも関する。
【背景技術】
【０００２】
現在のところ、ペトリ皿中のゲロース培養培地、又は任意の他の培地で培養された微生物（細菌、カビ、酵母等）のコロニーは、滅菌可能な器具、又は白金耳（ループとしても知られている）、スティック、チューブ又はコーンなどの単回使用の器具を使用して採取される。
【０００３】
しかしながら、これらの器具では、全てのタイプの微生物を信頼性がありかつ効率的にサンプリングすることは可能でなく、その理由は、微生物は、非常に多様な形状、サイズ、密度、構造又は外見を有することができるからである。
【０００４】
それに加えて、これらの消耗品では、ＭＡＬＤＩ−ＴＯＦタイプの質量分析法の分析が意図されるプレートなどの分析媒体において、採取された生物学的材料を最適に堆積可能にすることは容易でない。コロニーの下の培養培地をサンプリングせずに、細菌のコロニー又はその試料の分画をサンプリングすることができることも非常に重要である。このことは実際に、それに続く分析の結果を誤らせ得る。
【０００５】
分析結果の品質は、採取された試料から形成される生物学的材料の堆積の濃度、及びそれが堆積される媒体上におけるその均質性にも依存し得る。これは、特にＭＡＬＤＩ−ＴＯＦによる微生物分析の場合であり、その場合、試料は、最適な分析を可能にする薄く均一な層を形成しなければならない。
【０００６】
ディスポーザブル又は火炎で滅菌可能な白金耳は、ペトリ皿上の微生物のコロニーをサンプリングするために、及び生物学的材料をＭＡＬＤＩ−ＴＯＦプレート上に堆積させるために、従来使用されている。この操作は容易ではなくて、若干の器用さが求められる。親指と人指し指の間でこの種の器具を把持することは筋骨格の問題を引き起こし得る。白金耳は、作業者の手で試料が汚染されないように、一般的にその端部から離して保持されるが、しかし、この手の位置では、特に数ｍｍ２単位の小さな面積に薄く均一な堆積を生じさせることが必要な場合に、白金耳の端部を正確に動かすことを、より困難にさせる。最終的に、較正された所与の量の微生物（一般的に、１μＬと１０μＬの間）をサンプリングするようにデザインされた白金耳は、その端部に、金属又はプラスチックのループを含み、それは、一般的に１ｍｍを超える直径を有する。このチップは、堆積が形成される表面より大きくすることができる。それに加えて、（金属又はプラスチックの）白金耳の剛直な性質は、微生物のコロニーを堅い表面に薄く均一な層で広げることにあまり適していない。
【０００７】
綿棒、木のスティック、マイクロピペットのエンドフィッティングなどの他の消耗品を使用することも可能である。
【０００８】
したがって、文献米国特許第９１８１５２２号には、生物学的材料の無菌的移動のための方法及び装置が記載されている。装置は、生物学的材料をある場所から別の場所に、無菌的様式で移動させる意図で、頭端に球を有する単一サイズのエンドフィッティングを収容するための二重壁のチャンバーから構成される。この種のデバイスの第１の不利点は、エンドフィッティングのＵＶ滅菌のための一体型のシステム、その二重壁構造及びエンドフィッティングの内部装填及び取り外しのためのシステムによって、比較的複雑なデザインになっていることである。そのような複雑さは、疑いもなく、ユニットの原価に、それ故、販売価格に不利に影響する。それに加えて、ディスポーザブルのエンドフィッティングの頭端に存在する球形を作製するために使用される材料は、金属又はポリプロピレンタイプの硬質の材料で作製されるので、サンプリング方法にとって不都合なばかりか、何よりも、細菌のコロニーなどの生物学的材料を、特にＭＡＬＤＩ−ＴＯＦタイプの質量分析法の分析プレート上に堆積するのにも不都合である。
【０００９】
文献フランス特許第２６６８４９５号には、細菌学的使用のための滅菌サンプリングコーンが記載されている。前記コーンは、その遠方端部に、コーンの縦軸に対してオフセットされた、わずかに円錐台形の頑丈な突出部を有する。この突出部は、生物学的材料のサンプリングを可能にする。この端部に、１つの特定の実施態様では、任意選択的なループを含んでいてもよい。特定の構造でも、上の文献に記載されたコーンは、やはり、この種の製品のために従来使用されている材料で未だ作製されている。すなわち、生物学的材料のサンプリング及び堆積に適さない硬質かつ平滑なプラスチック材料。それに加えて、その特定の形状は、細菌のコロニーなどの生物学的材料を、ＭＡＬＤＩ−ＴＯＦ質量分析法の分析プレートなどの非常に小さな面積に堆積させるために使用することが容易でない。
【００１０】
本出願人は、以前、ゲロース培養培地と接触して、増殖した生物学的材料の試料の全て又は一部をサンプリングする方法を提案することにより、上で言及した不利点の全て又は一部を解決したが、それは、末端端部を備えるプローブを使用する。前記サンプリング方法は、プローブの末端端部を冷却することに本質的に基づいており、生物学的材料の試料と末端端部の接触により、又は末端端部により生物学的材料の試料に圧力をかけることにより採取されるべき生物学的材料の試料の全て又は一部を付けて、次にプローブの末端端部を加熱することにより、生物学的材料の試料の全て又は一部を放出させることを可能にする。この方法は国際公開第２０１２／００４５４５号に記載されている。
【００１１】
この方法の主な不利点は、それが、プローブを冷却するために比較的嵩高な設備を必要とし、それがエネルギーを消費して高い財政的コストを意味することである。
【００１２】
従来技術の分析の結果は、現在のところ、使用が容易で、簡単なデザインで、かつ細菌のコロニーなどの生物学的材料のサンプリングだけでなく、堆積をも最適化するのに適した物理的性質を有するディスポーザブルのサンプリングエンドフィッティングを使用する、生物学的材料をサンプリングするためのシステムは存在しないということである。
【発明の概要】
【００１３】
本発明の目的は、それ故、簡単なデザインで、製作が容易で、かつ生物学的材料をサンプリングするためのデバイスに付けられた時に、特にＭＡＬＤＩ−ＴＯＦタイプの質量分析法の分析プレートに付けられた時に、その生物学的材料を精密にサンプリング及び堆積することを可能にするエンドフィッティングを提案することにより、これらの欠点と取り組むことである。
【００１４】
これらの目的は、とりわけ、微生物起源の生物学的材料をサンプリングするための、手作業の又は自動化されたデバイスの本体にフィットされることを可能とするエンドフィッティングにおいて、
ａ）微生物起源の生物学的材料をサンプリングするための手段を含む遠方端部と、
ｂ）前記サンプリングデバイスの本体と接触すること、及び前記エンドフィッティングの前記本体への取り付けを可能にすることが意図される近位の自由端部と
を含み、
前記エンドフィッティングが、自由遠方端部の全て又は一部が少なくとも３０％に等しい空孔率を有する繊維状の材料からなることを特徴とする、エンドフィッティングに第１に関する本発明により達成される。
【００１５】
微生物起源の生物学的材料とは、細菌、酵母又はカビからなる生物学的材料を本質的に意味する。
【００１６】
１つの有利な実施態様において、本発明によるエンドフィッティングは、少なくとも３０％に等しい空孔率を有する繊維状の材料から完全になる。
【００１７】
繊維状の材料は、５０％を超える、好ましくは７０％を超える空孔率を有することが好ましい。
【００１８】
繊維状の材料は、ポリエチレン、ポリエステル、ポリエチレンテレフタレート（ＰＥＴ）、ＰＥＴ／ポリエチレンコポリマー、ＰＥＴ／ＰＥＴコポリマー、ポリアミド、綿を含む群から選択されることが有利である。
【００１９】
サンプリングエンドフィッティングは、実質的に円錐形の又は円錐台形の全体的形状を有する。サンプリング手段に関しては、円筒形の、円錐台形の又は球形の全体的形状のものであることが有利である。
【００２０】
本発明の別の目的は、微生物起源の生物学的材料をサンプリングするためのデバイスであって、
本発明によるエンドフィッティングと、
本体であって、少なくとも
前記デバイスを把持するためのゾーンとして、少なくとも部分的に役立つ近位の部分、及び
前記エンドフィッティングがその端部に取り付けられている自由端部を有する遠位の部分
を含む本体と
を含むデバイスに関する。
【００２１】
このデバイスは、エンドフィッティングを排出するシステムをさらに含む。取り外しシステムは、有利には、エンドフィッティングを押せるように、したがって、取り外せるように、前記本体の内側に位置して、平行に移動し得るロッドを含む。
【００２２】
１つの特定の実施態様において、前記ロッドは、プッシュボタンにより平行で移動し得る。
【００２３】
本発明の別の目的は、微生物起源の生物学的材料をサンプリングするための方法であって、
ａ）本発明によるエンドフィッティングをサンプリングデバイスの遠位の部分に位置させる工程と、
ｂ）前記エンドフィッティングのサンプリング手段を生物学的材料と接触させるために、培養培地上に存在する微生物起源の生物学的材料のコロニーの近傍に、サンプリングデバイスを位置させる工程と、
ｃ）サンプリングデバイスを利用して、採取された生物学的材料がサンプリング手段に付着するように、生物学的材料の全て又は一部をサンプリングする工程と
を含む、方法に関する。
【００２４】
本発明の別の目的は、生物学的材料の試料からのＭＡＬＤＩ−ＴＯＦタイプの質量分析法による微生物の分析のための、分析プレートを調製する方法であって、
ａ）エンドフィッティングを、本発明によるサンプリングデバイスの遠位の部分に位置させる工程と、
ｂ）前記エンドフィッティングのサンプリング手段を生物学的材料と接触させるために、培養培地上に存在する微生物起源の生物学的材料のコロニーの近傍に、サンプリングデバイスを位置させる工程と、
ｃ）サンプリングデバイスを利用して、採取された生物学的材料がサンプリング手段に付着するように、生物学的材料の全て又は一部をサンプリングする工程と、
ｄ）サンプリング手段を少なくとも１つの分析ゾーンの表面と接触させることにより、採取された生物学的材料を、ＭＡＬＤＩ−ＴＯＦタイプの質量分析法の分析プレートの前記少なくとも１つの分析ゾーンに均一に堆積させる工程と
を含む、方法に関する。
【００２５】
微生物の分析とは、細菌又は酵母などの微生物の同定を可能にするだけでなく、ビルレンス因子の前記微生物による、任意の抗菌性に対する耐性マーカー、型分類又は発現の任意の特性を際立たせることを可能にする任意の分析を本質的に意味する。
【００２６】
本発明の別の目的は、ゲロース培養培地上の微生物起源の生物学的材料を単離する方法であって、
ａ）本発明によるサンプリングデバイスのエンドフィッティングのサンプリング手段と接触した生物学的材料の試料を得る工程と、
ｂ）サンプリング手段がゲロース培養培地の表面と接触するように、サンプリングデバイスを前記表面の近傍に位置させる工程と、
ｃ）サンプリング手段が培養培地と接触したままで培地の表面全体を移動するように、サンプリングデバイスを移動させて、それにより、前記サンプリング手段と接触する生物学的材料の試料の全て又は一部を、培養培地の前記表面に放出させる工程と
を含む方法に関する。
【００２７】
１つの特定の実施態様において、前記の全ての方法は、サンプリングエンドフィッティングを排出する最終の工程をさらに含む。
【００２８】
生物学的材料の試料は、生物学的材料のコロニーから、前記のサンプリング方法により得ることができる。
【００２９】
あるいは、生物学的材料の試料は、生物学的材料の懸濁液から得ることもできる。この種の懸濁液は、伝統的に生物学的材料の一又は複数のコロニーを食塩水溶液中の懸濁液に入れることにより得られる。この代替法によれば、前記サンプリング手段を構成する繊維状の材料の吸収力により、サンプリング手段による液体の吸収を可能にするために、サンプリングエンドフィッティングが懸濁液の分画中に漬けられる。次に、生物学的材料は、前記サンプリング手段と接触する。細菌懸濁液の濃度は、関係する微生物の成長特性に応じて当業者により決定される。これは、その一般的な背景知識に属する。同様に、エンドフィッティングに生物学的材料を装荷するために使用される懸濁液分画も、熟考して決定される。数マイクロリットルから数十マイクロリットルが有利である。
【００３０】
本発明の目標及び利点は、図面を参照して行われる、本発明の詳細ではあるが、限定はしない以下の説明に照らして、よりよく理解されるであろう。
【図面の簡単な説明】
【００３１】
【図１Ａ】本発明の第１の実施態様によるサンプリングエンドフィッティングを表す透視図である。
【図１Ｂ】図１Ａで表されたエンドフィッティングを表す側面図である。
【図１Ｃ】第２の実施態様によるサンプリングエンドフィッティングを表す透視図である。
【図２Ａ】第１の実施態様による生物学的材料サンプリングデバイスを表す側面図である。
【図２Ｂ】図２Ａで表した生物学的材料サンプリングデバイスを表す分解側面図である。
【図２Ｃ】図２Ａで表した生物学的材料サンプリングデバイスの本体を表す透視図である。
【図２Ｄ】図２Ａで表した生物学的材料サンプリングデバイスを、サンプリングエンドフィッティングを取り外した構成で表す側面図である。
【図３Ａ】第２の実施態様による生物学的材料サンプリングデバイスを表す側面図である。
【図３Ｂ】図３Ａで表した生物学的材料サンプリングデバイスを表す分解側面図である。
【図３Ｃ】図３Ａで表したサンプリングデバイスのロッドにプッシャー環を固定するシステムを表す拡大分解透視図である。
【図４Ａ】第３の実施態様による生物学的材料サンプリングデバイスを表す側面図である。
【図４Ｂ】図４Ａで表した生物学的材料サンプリングデバイスを表す分解側面図である。
【図４Ｃ】図４Ａで表したサンプリングデバイスのエンドフィッティングを排出する機構の拡大図である。
【図５Ａ】第４の実施態様による生物学的材料サンプリングデバイスを表す透視図である。
【図５Ｂ】図５Ａで表した生物学的材料サンプリングデバイスを表す分解透視図である。
【図５Ｃ】図５Ａで表した生物学的材料サンプリングデバイスを、サンプリングエンドフィッティングを取り外した構成で表す透視図である。
【発明を実施するための形態】
【００３２】
図１Ａにおいて、第１の実施態様によるエンドフィッティング１０は、透視図で表される。図１Ｂでは、側面図で表される。この実施態様によれば、エンドフィッティング１０は、円錐台形の一般的形状である。しかしながら、本発明によるエンドフィッティング１０が異なる形状であることも完全に実現可能である。エンドフィッティング１０は、３個の別の部品で構成されている。第１に、実質的に円錐台形の形状の遠位の部分１２。この遠位の部分１２は、サンプリング手段１４を受け入れる部分を構成する。この端部に、遠位の部分１２は自由端部１６を有し、そこにブラインド空洞１８が形成されて、その中にサンプリング手段１４が置かれる。このため、空洞１８及びサンプリング手段１４の形状は、相補的でなければならない。理想的には、サンプリング手段１４の寸法は、その挿入を可能にするために空洞１８の寸法より僅かに小さくなければならない。しかしながら、サンプリング手段が空洞から抜けることを防ぐために、それらの寸法は比較的近いことが好ましい。エンドフィッティング１０はさらに、やはり円錐台形の形状であるが、遠位の部分１２より短く幅の広い近位の部分２０を含む。近位の部分２０の端部２２は自由端部であり、ブラインド空洞２４を含み、そこにサンプリングデバイスの遠方端部が収納される。
【００３３】
エンドフィッティング１０は、ピペットのエンドフィッティングを成形するために通常使用される材料から成形することができる。材料は、例えば、ポリオレフィンタイプのポリマーであってもよい。このタイプの材料は、一般的に廉価で、滅菌可能であり、単回使用の製品を製造するための使用に適当である。
【００３４】
サンプリング手段１４に関して、それを構成する材料は非常に重要である。実際、サンプリング手段は、細菌のコロニーなどの生物学的材料のサンプリングだけでなく、生物学的材料が質量分析法の分析プレートなどの分析デバイス上に置かれたときに、前記生物学的材料の放出も提供しなければならないという二重の技術的制約を有する。したがって、本発明者らは、サンプリング手段１４を製造するために使用される材料の空孔率が、生物学的材料のサンプリング及び放出の見地から、性能間で達成されるべき適当な妥協を可能にする必須の特徴であることを発見した。
【００３５】
さらに、サンプリング手段の独特の特徴に加えて、採取される生物学的材料が細菌のコロニーである場合に、サンプリング中又は堆積中において細菌が如何に行動するかは、細菌の種によって変わり得ることを念頭に置くことが重要である。細菌のコロニーが、関係する細菌の種に依存して、一貫していたりそうでなかったり、粘稠であったりそうでなかったり、糸状であったりそうでなかったりすることは、実際周知のことである。それ故、どのようなタイプの細菌のコロニーも、その性質がどうであれ、扱うことができるサンプリング手段を有することが必要不可欠である。
【００３６】
したがって、本発明者らは、要求される性質を得るためには、少なくとも３０％に等しい空孔率が必要であることを確定した。理想的には、少なくとも７０％に等しい空孔率で、最高の結果を得ることができる。
【００３７】
材料の空孔率とは、流体（液体又は気体）で満たされ得る固体材料の全てのボイド（細孔）を意味する。本発明者らは、空孔率とは、ボイドの体積と、関係する多孔性媒体の全体積との間の比として定義される物理的パラメーターを意味するとも理解する。
【００３８】
材料の空孔率は、以下の様式で測定される。
乾燥した繊維状の材料の試料を取る。
初期の試料を秤量する。
試料を水に浸漬し、完全に含浸させる。
含浸された試料を再び秤量する。
【００３９】
材料に捕捉された水の質量を、含浸された材料の質量と乾燥材料の質量との差を計算することにより導く。
【００４０】
水の単位体積当たりの質量は１に近いので、この捕捉された水の体積、したがって、材料中のボイドの体積が導かれる。
【００４１】
次に、含浸された試料の体積を測定する。
【００４２】
その結果、上で得られた材料の試料中のボイドの値を、含浸された試料の測定された体積によって除すことにより、材料の空孔率の値を得ることが可能である。
【００４３】
サンプリング手段を製造するために特に適当な材料は、繊維状の材料であってもよい。これらの材料の中で、ポリエチレン、ポリエステル、ポリアミドなどの合成材料を挙げることができる。ポリエステルの中で、ポリエチレンテレフタレート（ＰＥＴ）を挙げることができる。それらは、ポリエチレン／ポリエステルポリマー、ポリエチレン／ＰＥＴコポリマー又はさらにＰＥＴ／ＰＥＴコポリマーなどのコポリマーであってもよい。繊維状の材料に関しては、繊維は、単独の構成要素又は２種の構成要素の材料からなっていてもよい。２種の構成要素の繊維は、例えばＰＥＴの芯及びポリエチレンの鞘からなっていてもよい。
【００４４】
天然の繊維状の材料も等しく使用され得る。これは、特に綿繊維の場合である。
【００４５】
エンドフィッティングの第２の実施態様を、図１Ｃに表す。このエンドフィッティング１１は、３つの部分からなっており、実質的に円筒形の又は円錐台形ともいえる近位の部分１３。第１の実施態様と対照的に、近位の部分１３の自由端部１５は、ブラインド空洞を有さず、塞がれている。実際、この実施態様によれば、サンプリングデバイスの遠方端部は、エンドフィッティング１１に挿入されない。その反対に、サンプリングデバイスの遠方端部に、より正確にはその近位の端部１５に挿入されるのは、エンドフィッティング１１である。言うまでもなく、こうするためには、サンプリングデバイスが、エンドフィッティング１１を受け入れることができる自由遠方端部を有していなければならない。それ故、サンプリングデバイスは、寸法が近位の部分１３の寸法より僅かに大きくなければならないエンドフィッティング１１を受け入れる空洞を含まなければならない。エンドフィッティング１１は、使用後に前記エンドフィッティングの取り外しを可能にするフランジ１７を含む。フランジ１７は、エンドフィッティング１１がサンプリングデバイスに挿入されるときに、合口として役立つこともできる。最終的に、エンドフィッティング１１は、第１の実施態様によるエンドフィッティング１０の場合におけるように、サンプリング手段１４を受け入れることが意図される遠位の部分１９を含む。遠位の部分１９は、その端部に、サンプリング手段１４が置かれるブラインド空洞２３が中に形成された自由端部２１を有する。
【００４６】
サンプリングエンドフィッティング１１の変形実施態様によれば、近位の端部１３は、遠位の端部と近位の端部との間を通る孔を発生することを可能にするオリフィスを含むことができる。さらに、貫通孔内に位置し、近位の端部で又はことによると両方の端部で、オリフィスのレベルでエンドフィッティングに固定されたより長いサンプリング手段を使用することが可能である。この種の変形は、デザインが比較的簡単で、それ故、製造のコストは低くなる。
【００４７】
図１Ａから１Ｃに表すサンプリング手段１４は、円筒形である。しかしながら、サンプリング手段１４が異なる形状であることも可能である。したがって、生物学的材料をサンプリング及び堆積する正確さをさらに改善するために、サンプリング手段の自由端部は、例えば、円錐形であってもよい。サンプリング手段１４の自由端部は、生物学的材料をサンプリングするために適当な任意の他の形状を有することもできる。
【００４８】
本発明の１つの変形によれば、完全に多孔質材料からなるサンプリングエンドフィッティングを構想することができる。この変形実施態様によれば、サンプリングエンドフィッティングも、サンプリング手段を構成するであろう。
【００４９】
本発明の別の変形によれば、サンプリング手段、サンプリングエンドフィッティング及びサンプリングデバイスは、一体であることができる。実際、多孔性サンプリングエンドフィッティングが固定された単回使用のサンプリングデバイスを構想することができる。あるいは、サンプリングデバイスは、完全に多孔質材料で作製されてもよい。このため、サンプリング手段の寸法は、容易な把持及び操作を可能にしなければならない。
【００５０】
サンプリングエンドフィッティングとサンプリング手段とのコンジュゲート、又はサンプリングエンドフィッティングと一体であればサンプリング手段単独は、生物学的材料をサンプリングするための自動化されたシステムで使用されるように適合させることもできる。この種のシステムは、例えば、ペトリ皿上の細菌のコロニーを自動的にサンプリングして、質量分析法の分析プレートを調製することができる。
【００５１】
図２Ａに、第１の実施態様によるサンプリングデバイス３０を表す。このサンプリングデバイス３０は、遠位の部分３２、中間部分３４及び近位の部分３６を含む。実質的に円錐台形の遠位の部分３２の機能は、本発明によるサンプリングエンドフィッティング１０を担持する。やはり円筒形の中間部分３４の機能は、その使用者によるサンプリングデバイス３０の把持を可能にすることである。最終的に、近位の部分３６は、バケツの一般的形状を有し、その内径は中間部分３４の外径より僅かに大きく、その結果、近位の部分が中間部分の近位の端部を部分的に覆うことができる。
【００５２】
図２Ｂは、サンプリングデバイス３０を、このデバイスの各構成要素が別々に表されている分解図で表す。それ故、遠位の部分３２と中間部分３４とは実際には一体であり、同じ構成要素３８がサンプリングデバイスの本体を構成していることが見て取れる。
【００５３】
図２Ｃで表されているように、この実質的に円筒形の本体３８は、それを通る縦の周辺開口部３８２を、中央開口部３８４と一緒に有する。開口部３８２は、各々が、図２Ｂに表されるように、ロッド４０のブレード４０１を受け入れるように配置されている。開口部３８４はどうかといえば、図２Ｂに表されるように、コイルばね４２を受け入れるように適合されている。ロッド４０は、それ故、主に、底部が環の合口４０２に固定されている３枚のブレード４０１からなっている。環の合口４０２が中間部分３４の遠方端部を圧迫するまでブレード４０１の自由端部を開口部３８２中に導入したときに、ロッド４０は、デバイス３８の本体の内側に位置する一方、遠位の部分３２は、前記環の合口４０２の開口部を通り抜ける。デバイス３８の本体の反対側の端部では、コイルばね４２の下端が、開口部３８４に収納される一方、その上端は、デバイス３８の本体に蓋をするサンプリングデバイスの近位の部分３６の内面と接触して置かれる。この近位の部分は、使用が終わったサンプリングエンドフィッティング１０を排出するときにプッシャーメンバーとして役立つ。
【００５４】
ブレード４０１は、中間部分３４より長く、その結果、ロッド４０がデバイス３８の本体の内側に置かれたときに、ブレード４０１の自由先端は開口部３８２から突き出る。これらの自由端部は、ばねが定位置にある場合、プッシャーメンバー３６に固定される。この固定は機械的であってもよい。したがって、プッシャーメンバー３６の壁内に形成された開口部に収められたブレード４０１の自由端部の近傍に半径方向に突き出た突出部を置くことが構想され得る。あるいは、ブレード４０１の自由端部を、プッシャーメンバー３６の内面に化学結合により固定することも可能である。
【００５５】
図２Ｄに表されるように、プッシャーメンバー３６に、サンプリングデバイスの縦軸に沿って圧力がかけられたときに、プッシャーメンバーはデバイス３８の本体上を滑って動く。この滑動作用は、プッシャーメンバー３６に固定されているロッド４０に伝えられて、ロッド４０がデバイス３８の本体の内側を滑動する。この滑動は、サンプリングデバイスの遠方端部で環状プッシャーメンバー４０２の平行移動によって現れる。環状プッシャーメンバー４０２がエンドフィッティング１０の近位の端部を圧迫するので、前記エンドフィッティングを平行移動で押しやって、その結果、エンドフィッティングはサンプリングデバイス３０の遠方端部３２から脱離する。プッシャーメンバー３６によりコイルばね４２にかけられた圧は、コイルばね４２の圧縮をもたらす。この圧縮が、ロッド４０に伝えられて、それが前に説明したように滑り動く。近位の部分３６における圧が開放されたときに、ばね４２は、休止位置に向かって戻り、その位置でばねは、もはやロッド４０を押さない。したがって、ロッドは、逆の平行移動によりその初期位置を回復し、遠位の部分３２を自由にして、その結果、遠位の部分３２は、別のサンプリングエンドフィッティングの受け入れに利用可能になる。
【００５６】
サンプリングエンドフィッティング１０を有するサンプリングデバイス３０を使用する方法の種々の工程は、それ故、以下のように総括してもよい。
エンドフィッティング１０は、サンプリングデバイスの自由端部３２に配置される。この工程は、デバイスを、一般的に適当な支持体上に配置された滅菌エンドフィッティングと並んで垂直に置くことにより一般的に実施される。次に、サンプリングデバイスの遠位の部分３２の端部が、エンドフィッティング１０の近位の部分２０の空洞２４中に、空洞２４の底に接するまで挿入される。
【００５７】
ゲロース培養培地上の微生物のコロニーなどの生物学的材料をサンプリングするために、サンプリングデバイスは、エンドフィッティングのサンプリング手段が微生物のコロニーと接触するように位置する。そうして、コロニーの全部又は一部が採取される。
【００５８】
採取された生物学的材料の全部又は一部を、ＭＡＬＤＩ−ＴＯＦ質量分析法の分析プレートの表面などの表面に堆積させるために、サンプリングデバイスを前記表面に向かって動かすことで、生物学的材料を運ぶサンプリング手段の端部が、上記表面と接触する。次に小さい円形の移動がサンプリングデバイスで実施されて、生物学的材料の層を前記表面に堆積させる。
【００５９】
堆積物が適用されたら、サンプリングエンドフィッティングを、取り外し手段を動かすことによって取り外して、ごみ箱に捨てる。図３から５に表したサンプリングデバイスの場合では、取り外しは、近位の部分３６に圧をかけることにより実行される。
【００６０】
サンプリングデバイスの第２の実施態様を、図３Ａから３Ｃに表す。このサンプリングデバイス５０は、実質的に円筒形の中空の本体５２からなる。この本体５２は、その遠位の部分に、サンプリングエンドフィッティング１０を担持することが意図される実質的に円錐台形の形状の自由端部５２１を有する。この自由端部５２１は、３箇所の隙間の空間を区切る３枚の鰭状部（図示せず）により本体５２に固定されている。本体５２は、連結システム又はクリップ５２２も含み、サンプリングデバイスが外被のポケットに、例えば、ペンのように取り付けられることを可能にする。最終的に、図３Ａには、本体５２の近位の端部から出るプッシュボタン５４も見られる。図３Ｂで見ることができるように、プッシュボタン５４は、本体５２の内側に置かれたロッド５６に固定されている。この実質的に円筒形のロッド５６はその末端端部が、大写しの拡大図３Ｃに表した３つの取り付け突出部５６１で終わる。前記取り付け突出部５６１の間の中央の空間は、図３Ｂで示したように、コイルばね５８を受け入れることが意図されている。
【００６１】
ロッド５６は、本体の近位の端部を通して本体５２中に挿入され、コイルばね５８が最初に挿入される。前記コイルばね５８は、遠方端部５２１の鰭状部及び上部を圧迫するように配置される。挿入されると、ロッド５６は、取り付け突出部５６１が鰭状部の間で区切られた隙間の空間を超えるようにばねにまたがり、本体５２の底部で自由端部５２１の周りに突き出るように配置される。環６０は、自由端部５２１の周りに取り付けられる。この環６０は、取り付け突出部５６１の端部を受け入れることが意図された３つの開口部６０１を有する。取り付け突出部は、それらの端部に半径方向のタブ５６１１を有し、突出部が環６０の内側に置かれると、タブ５６１１が開口部６０１中にロックされて、したがって、環６０及びロッド５６とを一緒に固定する。あるいは、及び機構を簡単にする狙いで、この機械的固定システムを、環に嵌まり込むタブのない突出部を含むシステムで置き換えることは完全に可能である。図３Ａに表したように、環６０は、本体５２を自由端部５２１の上部のレベルで圧迫することになるが、それは、ロッド５６に、本体５２の上部方向への反発力をはたらかせるコイルばね５８の作用のためである。
【００６２】
サンプリングデバイス３０の第１の実施態様におけるように、サンプリングデバイスの縦軸に沿った圧力がプッシュボタン５４にかかると、この圧力がプッシュボタン５４に固定されているロッド５６に伝えられる。そうすると、プッシュボタンが滑って本体５２内側に来て、その結果、コイルばね５８を圧縮する。この滑動は、サンプリングデバイスの遠方端部で環６０の平行移動によって現れて、その結果、環が、エンドフィッティング１０の近位の端部を圧迫することになり、平行移動してエンドフィッティングを押しやり、遂にエンドフィッティングがサンプリングデバイス５０の遠方端部５２１から脱離する。ロッド５６によりコイルばね５８にかけられた圧が開放されると、プッシュボタン５４への圧が開放されるので、ばねはその休止位置を回復する。ロッド５６は、ばねの圧により、環６０が本体５２を圧迫するまで、逆方向の平行移動で押しやられて、遠位の部分５２１が、別のサンプリングエンドフィッティング１０を再び受け入れることを可能にする。
【００６３】
サンプリングデバイスの第３の実施態様を図４Ａから４Ｃに表す。このサンプリングデバイス７０は、実質的に円筒形の中空の本体７２からなる。この本体７２は、その遠位の部分に、サンプリングエンドフィッティング１０を担持すること意図する実質的に円錐台形の形状の自由端部７２１を有する。この自由端部７２１は、３つの隙間の空間を区切る３つの鰭状部（図示せず）により本体７２に固定されている。本体７２の側面に置かれたプッシュボタン７４も見られ、プッシュボタン７４は、図４Ｂで見ることができるように、本体７２の側面の壁に形成された開口部７２２に挿入されることになる。それは、本体７２にその上端で挿入されているロッド７６も含む。このロッド７６は、実質的に直方形の断面の一体型の近位の部分７６１と３つの取り付け突出部７６２からなる遠位の部分とからなる。遠位の部分との界面で、近位の部分７６１はその両面に、プッシュボタン７４と協調作動することが意図される傾斜のあるショルダー７６１１を有する。ロッド７６は、サンプリングデバイス７０の近位の端部を通して、サンプリングデバイス７０の本体７２に挿入される。ロッド７６が挿入されると、取り付け突出部７６２は、自由端部７２１を保持する鰭状部の間の区切られた隙間の空間を越えて、前記自由端部７２１の周りで本体７２の底部から突き出る。環７８は自由端部７２１の周りに挿入される。この環７８は、前に記載された環６０と同様であり、取り付け突出部７６２の端部を受け入れることが意図される３つの開口部を含み、半径方向のタブ７６２１も備えて、環７８の開口部と協調作動することが意図され、図４Ｃに示すように、環７８にロッド７６を固定することが意図されている。
【００６４】
プッシュボタン７４は、上下逆転した「Ｕ」形状の断面図を有し、ロッド７６の近位の部分７６１の周りに位置して、特に傾斜のあるショルダー７６１１のレベルで、ロッド７６の近位の部分７６１にまたがることを可能にすることが意図されている。プッシュボタン７４は、その２つの側面の各々に、ハウジング７２２に置かれた際に、脱落することを防止することが意図される３つの突出部７４１を有する。ロッド７６及びプッシュボタン７４が、サンプリングデバイス７０の本体７２に位置したとき、プッシュボタン７４は、その遠位の部分のレベルで、傾斜したショルダー７６１１を圧迫することになり、ロッド７６が脱落することを防止する。プッシュボタンと傾斜したショルダー７６１１との間の相互作用が、休止位置とサンプリングエンドフィッティング１０を排出する位置との間のロッド７６の動きを可能にする。実際、エンドフィッティング１０がサンプリングデバイス７０の遠方端部７２１に位置したときに、サンプリングデバイスは、環７８を圧迫する。次に、環は、図４Ａに示すように、本体７２に対して高い位置に置かれる。そのとき、ロッドは休止位置にあり、そこで、プッシュボタン７４は、再び高い位置にある。
【００６５】
サンプリングデバイス７０の使用者が、サンプリングエンドフィッティング１０を排出することを望む場合、彼らは、プッシュボタン７４に圧をかける。この圧が、プッシュボタンがハウジング７２２の中で押し下げられるようにはたらき、次にそれが、傾斜したショルダー７６１１上を滑る。横に動くことができないプッシュボタンは、傾斜したショルダー７６１１上のその滑動で、ロッド７６の、本体７２の遠方端部に向かう水平な平行の動きを導く。次に、ロッドは、その休止位置からエンドフィッティングを排出するための位置に移動して、そこで取り外し環７８は、エンドフィッティングに圧をかけた後、再び低い位置にあって、このことが、図４Ｃに表したように、エンドフィッティングの取り外しを導く。
【００６６】
第４の実施態様を図５Ａから５Ｃに表す。この実施態様は、第３の実施態様と非常に似ていて、サンプリングデバイスの操作に関する。実際、図５Ａから５Ｃで表したサンプリングデバイス８０は、実質的に円筒形の中空の本体８２からなる。この本体８２は、一体であり、その遠位の部分に、実質的に円錐台形の自由端部８２１を有する。この端部８２１に、円形オリフィス８２２が設けられている。このオリフィスは、図１Ｃを参照して説明したように、サンプリングエンドフィッティング１１の近位の部分１３を受け入れることが意図されている。この構成で、サンプリングエンドフィッティング１１は、サンプリングデバイス８０の本体中で、エンドフィッティング１１のフランジ１７が本体８２の端部８２１を圧迫するようになるまで、押し下げられる。本体８２は、本体８２の側面にプッシュボタン８４も含み、プッシュボタン８４は本体８２の側面の壁に形成されたハウジング８２３に挿入される。それは、最終的に、本体８２中に、その上端で挿入されたロッド８６を含む。このロッド８６は、実質的に直方形の断面の一体型の近位の部分８６１と、断面が実質的に円形で端部が乳頭状突起８６３の一体型の遠位の部分８６２とからなる。近位の部分８６１と遠位の部分８６２との間の界面に、２つの傾斜のあるショルダー８６１１が、近位の部分８６１の両面のそれぞれに形成されている。これらのショルダー８６１１及びプッシュボタン８４は、図４Ａから４Ｃに表したサンプリングデバイス７０を参照して前に説明されたものと同一の機構により協調作動させられて、その結果、使用者がプッシュボタン８４を押すと、それらが本体８２の開口部で、本体の遠方端部へと向かうロッド８６の平行の動きを開始させる。次に、乳頭状突起８６３は、エンドフィッティング１１の近位の部分１３の自由端部１５を圧迫して、エンドフィッティング１１に圧をかけて、その結果、エンドフィッティング１１は、サンプリングデバイス８０から、平行の動きにより取り外される。このことを図５Ｃで明確に示す。新しいアダプター１１がサンプリングデバイス８０に付けられると、本体８２の開口部中に、オリフィス８２２を通して進入している近位の部分１３は、ロッド８６を反対方向に押して、プッシュボタン８４と協調作動する傾斜したショルダー８６１１によって、垂直な平行の動きによりプッシュボタン８４を上昇させる。
【００６７】
サンプリングデバイスの他の実施態様も構想することができる。したがって、１つの可能な他の実施態様は、エンドフィッティングを圧迫してその取り外しを可能にすることが意図される機械的システムを、遠方端部に、しかし本体上の外側部分に設置することにある。例えば、この場合、サンプリングデバイスの本体上を平行移動で動くことができるスリーブが、サンプリングエンドフィッティングと接触することができて、それが使用者により動かされたときに、サンプリングエンドフィッティングが取り外されることを可能にする。
【００６８】
サンプリングデバイスを使用して分析するための生物学的材料の試料を調製するための他のプロトコルも構想することができる。したがって、生物学的材料が採取されると、食塩水溶液などの特定の目的の溶液中で生物学的材料の懸濁液を調製することが可能である。これを行うために、生物学的材料を運ぶサンプリングエンドフィッティングを、ある量の溶液を懸濁液中に含有するチューブ中に直接放出することも構想することができる。そのとき、エンドフィッティングを含むチューブのボルテックスによる攪拌が、繊維状の材料に保持されていた生物学的材料の放出を可能にするであろう。
【００６９】
サンプリングデバイスは、ゲロース培養培地上の単離を実施するためにも使用することができる。この単離は、本発明によるサンプリングデバイスを用いて採取されたコロニーから直接行うこともできて、次にゲロース培養培地に直接再播種することもできる。それは、前に記載したように、サンプリングデバイスを利用して産生された生物学的材料の懸濁液から同様に産生することができる。
【００７０】
サンプリングデバイスが単離を実施するために使用される場合、サンプリング手段が球形の端部を有し、その端部において、それがゲロース培養培地を圧して該培地を損傷することを防止するのに十分な直径のものであることが好ましい。適当な直径は、例えば、２から７ミリメートル（ｍｍ）の間、有利には２から４ｍｍの間である。
【００７１】
単離は、濃度が、例えば、１０７ＣＦＵ（コロニー形成単位）／ｍＬ（ミリリットル）の細菌の懸濁液から行うことができる。そのような濃度であれば、サンプリング手段を使用する５マイクロリットル（μＬ）の懸濁液の試料が、ゲロース培養培地で良好な品質の単離を可能にするのに十分である。５μＬの懸濁液を、サンプリング手段を構成している材料により吸引する。次に、懸濁液を装填された前記サンプリング手段は、懸濁液がゲロース培養培地に適用されたときに、その懸濁液を徐々に放出することを可能にすることができる。この徐々に放出することは、サンプリング手段を構成している材料の吸収剤としての性質のおかげで可能になる。この結果は、改善された単離の品質である。
【００７２】
単離は、いわゆる「ダイヤル」技法又はいわゆる「スパイラル」技法などの伝統的技法によって行うこともできる。
【実施例】
【００７３】
実施例１：  ＭＡＬＤＩ−ＴＯＦ分析用のプレートを調製するためのサンプリングエンドフィッティングを有するサンプリングデバイスの使用
この例で使用されるサンプリングデバイスは、図２Ａから２Ｄで表した、かつ前に記載したデバイスである。
【００７４】
サンプリングエンドフィッティングは、のピペットエンドフィッティングを製造するために従来使用されてきた材料などのプラスチック材料で作製される。それは、直径が２ｍｍ及び長さが６ｍｍの円筒形のサンプリング手段を含む。それは、参照番号ＰＳＵ−８３２でＰｏｒｅｘ社により市販されている材料であるポリエチレンテレフタレート（ＰＥＴ）／ＰＥＴコポリマーの繊維からなる。
【００７５】
サンプリングデバイスの本体は、ポリプロピレンから射出成形されたものである。それは、１２０ｍｍの長さ及び六角形の対向する面同士の間が８．２ｍｍの六角形の断面を有し、これにより、鉛筆のように容易な把持が可能で、筋骨格の問題のリスクがない。
【００７６】
サンプリングデバイスを使用して、参照番号４３０４１で本出願人により市販されている、コロンビア寒天＋５％ヒツジ血液（ＣＯＳ細胞系）培養培地で増殖した、異なる種の細菌のコロニーをサンプリングする。
【００７７】
採取されたコロニーを、参照番号４１０８９３で本出願人により市販されている、４８個の位置を有するディスポーザブルのＭＡＬＤＩ−ＴＯＦ用分析プレート上に堆積させる。
【００７８】
選択された種のうち、幾つかは、サンプリングが困難なコロニーを形成することが知られている。これは、例えば、バシラス・リケニフォルミス（Ｂａｃｉｌｌｕｓ  ｌｉｃｈｅｎｆｏｒｍｉｓ）、肺炎桿菌（Ｋｌｅｂｓｉｅｌｌａ  ｐｎｅｕｍｏｎｉａｅ）、プロテウス・ミラビリス（Ｐｒｏｔｅｕｓ  ｍｉｒａｂｉｌｉｓ）又はノカルディア  アステロイデス（Ｎｏｃａｒｄｉａ  ａｓｔｅｒｏｉｄｅｓ）の場合である。
【００７９】
方法は、以下の工程に従って実施される。
１．サンプリングエンドフィッティングを、サンプリングデバイス上に置く。
２．サンプリングエンドフィッティングにより担持されている繊維状の材料で作製されたサンプリング手段を、コロニーと接触させることにより、サンプリングデバイスを利用して、ＣＯＳ細胞系タイプの培養培地で、細菌のコロニーを採取する。
３．細菌の試料を運ぶサンプリング手段をＭＡＬＤＩ−ＴＯＦ用プレートと接触させ、圧をかけて、試料を広げることにより、ＭＡＬＤＩ−ＴＯＦ分析用プレート上の、この目的のために提供された４８個の位置の１つに、細菌の試料を堆積させる。サンプリング手段の繊維状の材料にかけられた圧は、前記繊維状の材料における過剰の試料の保持を可能にする。分析を繰り返すことを望む場合に、分析プレート上の異なる位置で続けて堆積を実施することは可能である。これらの他の堆積物は、同じエンドフィッティングを使用して適用することができる。
４．全ての堆積物が適用された後、前に記載したように、プッシュボタンに圧をかけることにより、サンプリングエンドフィッティングを取り外してごみ箱に排出される。
５．マイクロピペットを利用して、１μＬのマトリックス（使用準備が整ったαシアノ４−ヒドロキシケイ皮酸、ｂｉｏＭｅｒｉｅｕｘ、参照番号４１１０７１）を、生物学的材料の各堆積物上に堆積させる。
６．分析することが望まれる各コロニーについて、工程１から５を繰り返す。
７．較正のために、及び陽性コントロールとして使用される大腸菌（Ｅ．ｃｏｌｉ）ＡＴＣＣ８７３９株も、工程１から５に従って堆積する。
８．分析プレートを、マトリックスが乾燥するのに必要な時間、貯蔵する。
９．プレートが完全に乾燥したら、それを、本出願人により市販されているＭＡＬＤＩ−ＴＯＦ  ＶＩＴＥＫ（登録商標）ＭＳ質量分光計に導入して、質量スペクトルを取得する。
１０．エキスパートシステム及びＶＩＴＥＫ（登録商標）ＭＳデータベースを使用して、スペクトル分析により、微生物を同定する。
【００８０】
同じ細菌のコロニーを、当業者に周知であり、白金耳を使用するＭＡＬＤＩ−ＴＯＦ分析用プレートの調製のための、伝統的方法を使用して分析する。
【００８１】
２通りの分析プレート調製方法で得られた結果を、表１に示して比較する。
【００８２】
記号「レ」は、スペクトルが、品質良好で、期待される種の同定を可能にすることを意味する。
【００８３】
記号「Ｘ」は、スペクトルが、種の同定を可能にするには品質が十分でないことを意味する。
2019521336.tif 000003
【００８４】
本発明によるサンプリングデバイスを使用するプロトコルを使用して、分析された全ての種が、ＶＩＴＥＫ（登録商標）ＭＳを使用する質量分析法により正しく同定されることが、表１の分析の結果である。
【００８５】
比較により、細菌のコロニーをサンプリングするために白金耳を使用する伝統的プロトコルでは、分析された１３種のうち６種だけが正しく同定された。同定されなかった種のうち、大部分は、操作が困難なコロニーを形成することが知られているものである。
【００８６】
特に有利な様式では、本発明の方法は、それ故、非典型型なコンシステンシーを有するコロニーを形成する細菌種のサンプリング及び堆積を可能にする。したがって、粉末状及び痂皮形成種、例えば、Ｂ・リケニフォルミス（Ｂ．ｌｉｃｈｅｎｆｏｒｍｉｓ）又はＮ・ファルシニカ（Ｎ．ｆａｒｃｉｎｉｃａ）など、粘着性種、例えば、Ｋ・ニューモニエ（Ｋ．ｐｎｅｕｍｏｎｉａｅ）など、及びゲロース上で拡散する種、例えばＰ・ミラビリス（Ｐ．ｍｉｒａｂｉｌｉｓ）などについて、ＭＡＬＤＩ−ＴＯＦ質量分析法により優れた同定結果を容易に得ることが可能である。
【００８７】
４８種の試料を堆積させるために必要な時間は、白金耳（１６分）を用いるよりも、本発明によるサンプリングデバイス（１２分）を用いる方が短いことも見出されている。
【００８８】
本発明の方法は、それ故、従来技術の参照方法よりも、より人間工学的で、より使用し易く、より速いものであり、かつより優れた結果が得られることを可能にする。
【００８９】
実施例２：  異なる繊維状の材料を使用する、質量分析法分析による異なる種の細菌の同定における性能の比較
この例では、異なる空孔率を有する複数の繊維状の材料を、特に、異なる種の細菌のコロニーから来る生物学的材料の効果的なサンプリングを可能にするそれらの性能について、しかしＭＡＬＤＩ−ＴＯＦ分析用プレート上に均一な堆積物を生じさせるそれらの能力についても同等に、試験した。実際、ＭＡＬＤＩ−ＴＯＦ質量分析法による細菌の種の同定における性能は、材料の量又は堆積物の均質性がどうであろうと、分析プレート上における生物学的材料の堆積物の品質に直結される。
【００９０】
それ故、種々の種について、それらを同定するために、ＭＡＬＤＩ−ＴＯＦ質量分析法の分析に供した。
【００９１】
サンプリングデバイスを含む分析プロトコルは、実施例１に記載された通りである。
【００９２】
試験した材料を下の表２に示す。
2019521336.tif 000004
【００９３】
表２には、使用された材料の試料の寸法が示されている。それに加えて、前に示した方法による空孔率の計算を可能にする値も示した。
【００９４】
材料ＰＳＵ８９２は、ポリエチレンテレフタレートのエンベロープ及びポリエステルの芯からなる２種類の構成要素の繊維から得られた材料である。この種の材料は、ＰＯＲＥＸ（登録商標）社により市販されている。加えてそれは、特許出願の国際公開第０３／０８０９０４号に記載されている。
【００９５】
材料ＸＡ−２０５２１−ＰＳは、ポリエチレンを主成分とする材料である。この種の材料は、ＰＯＲＥＸ（登録商標）社により商品名ＮＩＢＳで市販されている。
【００９６】
試験を実施するために、３種類の異なる種の細菌を使用した。
・表皮ブドウ球菌（Ｓｔａｐｈｙｌｏｃｏｃｃｕｓ  ｅｐｉｄｅｒｍｉｄｉｓ）（株ＡＴＣＣ１２２２８）
・肺炎桿菌（Ｋｌｅｂｓｉｅｌｌａ  ｐｎｅｕｍｏｎｉａｅ）（株ＡＴＣＣ１３８８３）
・大腸菌（Ｅｓｃｈｅｒｉｃｈｉａ  ｃｏｌｉ）（株ＡＴＣＣ２５９２２）
【００９７】
これらの種を、本出願人により参照番号４３０４１で市販されている、５％のヒツジ血液（ＣＯＳ）を含有するコロンビアゲロース培養培地上に各々播種した。
【００９８】
各種について、コロニーを、本発明によるサンプリングデバイスで採取して、４つの堆積物をＭＡＬＤＩ−ＴＯＦ分析プレートの４つの隣接する位置で作製する。
【００９９】
結果を下の表３に示す。
2019521336.tif 000005
【０１００】
高い空孔率値（７０％を超える）を有する材料は、同定性能が、全ての種を正しく同定することにおいて優れていることがわかる。これは、綿又は材料ＰＳＵ８９２についての場合である。
【０１０１】
他方、より低い空孔率の値を有する材料が使用される場合、同定性能が影響されることがわかる。したがって、３９％の空孔率を有する材料ＸＡ−２０５２１−ＰＳでは、大腸菌の４つの堆積物のうち２つが、この細菌の同定を可能にしなかったことがわかる。したがって、僅か８３．３％の同定率という結果である。
【図１Ａ】
2019521336.tif 000006
【図１Ｂ】
2019521336.tif 000007
【図１Ｃ】
2019521336.tif 000008
【図２Ａ】
2019521336.tif 000009
【図２Ｂ】
2019521336.tif 000010
【図２Ｃ】
2019521336.tif 000011
【図２Ｄ】
2019521336.tif 000012
【図３Ａ】
2019521336.tif 000013
【図３Ｂ】
2019521336.tif 000014
【図３Ｃ】
2019521336.tif 000015
【図４Ａ】
2019521336.tif 000016
【図４Ｂ】
2019521336.tif 000017
【図４Ｃ】
2019521336.tif 000018
【図５Ａ】
2019521336.tif 000019
【図５Ｂ】
2019521336.tif 000020
【図５Ｃ】
2019521336.tif 000021
【国際調査報告】
2019521336.tif 000022
2019521336.tif 000023
2019521336.tif 000024
2019521336.tif 000025